(57)【特許請求の範囲】
【請求項１】
弾性材料からなり、肩掛けベルトに沿った偏平細長形状に形成された下パッド体（１）の両端寄りの両側部に、互いに折り重ねることにより連結自在とした肩ベルト保持体（２ａ、２ｂ）を連設し、この下パッド体（１）の中央寄りの一側部に、多数の縦スリット（３）を有して屈曲自在としたヒンジ（４）を介して下パッド体（１）側に折り重ね自在とした上パッド体（５）を連設したものとし、さらにこの下パッド体（１）の中央寄りの内面に、凹部（１ａ）を形成したものとし、前記上パッド体（５）をこの下パッド体（１）側に折り重ねたとき、下パッド体（１）との間に緩衝空間（Ｓ）が形成されるようにしたことを特徴とする肩掛けベルト用肩パッド。
【請求項２】
一方の肩ベルト保持体（２ａ）を、略中央に突起（１４）を有すると共に連結端側に向かって挿入孔（１５）を有した当て溝（１６）を設けたものとし、他方の肩ベルト保持体（２ｂ）を、前記突起（１４）を嵌合させる孔（１７）を有すると共に前記挿入孔（１５）に挿入する挿入部（１８）を設けたものとしたことを特徴とする請求項１記載の肩掛けベルト用肩パッド。
【請求項３】
緩衝空間（Ｓ）に補助緩衝材（２０）を収納したことを特徴とする請求項１記載の肩掛けベルト用肩パッド。
【発明の詳細な説明】
【０００１】
【発明の属する技術分野】
この発明は、ショルダーバッグ、カメラやビデオのキャリングケース等の肩掛けベルトに装着される肩パッドに関するものである。
【０００２】
【従来の技術】
従来、この種の肩パッドは、合成ゴム等の弾性材料からなり、図１１に示したように、肩掛けベルトＢに沿った偏平細長形状に形成されたパッド体２１の両端に設けた挿通穴２２間に肩掛けベルトＢを挿通したり、図１２に示したように、上板３１と下板３２及び両側板３３により偏平四角筒状に形成されたパッド体３４の四角筒内に肩掛けベルトＢを挿通することにより、肩掛けベルトＢの肩当て部となる位置に固定または移動できるようにしている。
【０００３】
一方、この種の肩パッドが装着される肩掛けベルトは、ショルダーバッグ、カメラやビデオのキャリングケース等の両側部にベルトの両端を直接、縫着したり、これらの両側部に取り付けたリングに、ベルトの両端に取り付けた留め具を着脱自在として、これらバッグやケース等に取り付けたものとしている。
【０００４】
【発明が解決しようとする課題】
しかしながら、上記従来の肩パッドでは、合成ゴム等の弾性材料からなるものの一重のパッドであるためクッション性が悪く、またそのため肩パッド自体を分厚くすると使用者の肩に沿って曲がりにくく、特に図１２に示した従来の肩パッドでは、両側板３３の存在によって曲げ方向に対する抵抗が大きいものとなって使用者の肩に沿って曲がりにくくなり、使用者の肩に沿いにくいものとなり、使用勝手が悪くなるという課題を有していた。
【０００５】
さらに、上記従来の肩パッドを肩掛けベルトに装着するには、肩掛けベルトをバッグやケース等の両側部に縫着する前に、この肩掛けベルトを肩パッドの挿通穴に挿通するか、肩掛けベルトの両端に留め具を取り付ける前に、この肩掛けベルトを肩パッドの挿通穴に挿通しなければならない。そのため、バッグやケースまたは肩掛けベルトの生産工程においてしか肩パッドを肩掛けベルトに装着することができず、これらの生産後や使用者が購入後には肩パッドを肩掛けベルトに装着することができず、また肩掛けベルトに一旦装着した肩パッドは肩掛けベルトから取り外すことができないので、不便なことがあるという課題を有していた。
【０００６】
そこで、この発明は、上記従来の課題を解決するものであり、クッション性に優れていると共に使用者の肩にも沿い易く、しかもバッグやケース、または肩掛けベルトの生産後や使用者が購入後にも肩パッドを肩掛けベルトに装着することができ、また肩掛けベルトに装着した肩パッドを何時でも肩掛けベルトから取り外すことができる肩掛けベルト用肩パッドを提供することを目的としてなされたものである。
【０００７】
【課題を解決するための手段】
そのため、この発明の肩掛けベルト用肩パッドは、弾性材料からなり、肩掛けベルトに沿った偏平細長形状に形成された下パッド体１の両端寄りの両側部に、互いに折り重ねることにより連結自在とした肩ベルト保持体２ａ、ｂを連設し、この下パッド体１の中央寄りの一側部に、多数の縦スリット３を有して屈曲自在としたヒンジ４を介して下パッド体１側に折り重ね自在とした上パッド体５を連設したものとし、さらにこの下パッド体１の中央寄りの内面に、凹部１ａを形成したものとし、前記上パッド体５をこの下パッド体１側に折り重ねたとき、下パッド体１との間に緩衝空間Ｓが形成されるようにしている。
【０００８】
そして、この発明の肩掛けベルト用肩パッドは、一方の肩ベルト保持体２ａを、略中央に突起１４を有すると共に連結端側に向かって挿入孔１５を有した当て溝１６を設けたものとし、他方の肩ベルト保持体２ｂを、前記突起１４を嵌合させる孔１７を有すると共に前記挿入孔１５に挿入する挿入部１８を設けたものとしている。
【０００９】
さらに、この発明の肩掛けベルト用肩パッドは、緩衝空間Ｓに補助緩衝材２０を収納したものとすることができる。
【００１０】
【発明の実施の形態】
以下、この発明の肩掛けベルト用肩パッドの実施の形態を、図面に基づいて詳細に説明する。
【００１１】
図１〜５は、この発明の肩掛けベルト用肩パッドの一実施形態を示しており、図６、７は、その肩掛けベルト用肩パッドを展開した状態を示している。この発明の肩掛けベルト用肩パッドは、合成ゴム等の弾性材料からなり、肩掛けベルトに沿った偏平細長形状に形成された下パッド体１の両端寄りの両側部に、互いに折り重ねることにより連結自在とした肩ベルト保持体２ａ、２ｂを連設したものとしている。この下パッド体１の中央寄りの一側部には、合成ゴム等の弾性材料からなり、多数の縦スリット３を有して屈曲自在としたヒンジ４を介して下パッド体１側に折り重ね自在とした上パッド体５を連設したものとしている。この下パッド体１の中央寄りの内面には、凹部１ａを形成したものとし、前記上パッド体５をこの下パッド体１側に折り重ねたとき、下パッド体１との間に緩衝空間Ｓが形成されるようにしている。前記下パッド体１の中央寄りの他側部には、下パッド体１側に折り重ねた上パッド体５の開放側部５ａを押さえておくために、多数の縦スリット６を有して屈曲自在とした側壁体７を設けたものとしている。さらに、前記下パッド体１側に折り重ねた上パッド体５が起き上がらないように、上パッド体５の開放側部５ａに設けた凸体８を下パッド体１の側壁体７寄りに設けた嵌合孔９に嵌合したものとしている。
【００１２】
なお、前記下パッド体１の裏面（使用者の肩に接触する面）の中央寄りには多数個の小突起１０を設けると共に、その両端寄りには複数本のリブ１１を設けることにより、使用者の肩との当たりを良くすると共に滑りにくいものとしている。また、前記下パッド体１の表面の両端寄りには複数本のリブ１２を設けると共に、前記上パッド体５の表面には複数本のリブ１３を設けることにより、肩ベルトを滑りにくいものとしている。
【００１３】
前記肩ベルト保持体２ａ、２ｂの一方２ａには、略中央に突起１４を有すると共に連結端側に向かって挿入孔１５を有した当て溝１６を設けたものとし、その他方２ｂには、前記突起１４を嵌合させる孔１７を有すると共に前記挿入孔１５に挿入する挿入部１８を設けたものとし、互いに折り重ねることにより連結自在としている。また、肩ベルト保持体２ａの裏面には複数本のリブ１９を設けることにより、保持した肩ベルトを滑りにくいものとしている。
【００１４】
さらに、前記下パッド体１と上パッド体５との間に形成された緩衝空間Ｓには、必要に応じて、図８に示したように、独立気泡や連続気泡の入ったシート材等からなる補助緩衝材２０を収納したものとし、この肩パッドのクッション性をより良くしておくことができる。
【００１５】
以上のように構成されたこの発明の肩掛けベルト用肩パッドは、図９に示したように、バッグやケース等の肩掛けベルトＢを上パッド体５に沿うようにして載せ、下パッド体１の両端の肩ベルト保持体２ａ、２ｂを互いに折り重ね、肩ベルト保持体２ａ、２ｂの一方２ａの当て溝１６に肩ベルト保持体２ａ、２ｂの他方２ｂを当接させると共に、この他方２ｂの挿入部１８を挿入孔１５に挿入すると共に、孔１７に突起１４を嵌合させることにより、下パッド体１の両端の肩ベルト保持体２ａ、２ｂを互いに連結すれば、図１０に示したように、バッグやケース等の肩掛けベルトＢに装着することができる。そして、この図１０に示した状態から、肩掛けベルトＢの肩当て部となる位置に移動すれば、使用者の肩部に丁度、当たるものとなる。
【００１６】
【発明の効果】
この発明の肩掛けベルト用肩パッドは、以上に述べたように、弾性材料からなる下パッド体１と上パッド体５とが緩衝空間Ｓを有して折り重ねたものとしており、好ましくはこの緩衝空間Ｓに補助緩衝材２０を収納したものとしているので、二重または三重のパッドとなりクッション性に優れたものとなり、また使用者の肩に沿って曲げた場合には、緩衝空間Ｓや縦スリット６の存在によって曲げ方向に対する抵抗が緩和され曲がりやすくなって、使用者の肩に沿いやすいものとなり、使用勝手が良いものとなった。
【００１７】
さらに、この発明の肩掛けベルト用肩パッドは、互いに折り重ねて連結自在とした肩ベルト保持体２ａ、２ｂにより、肩掛けベルトに装着するものとしているので、バッグやケースまたは肩掛けベルトの生産後や使用者が購入後にも肩パッドを肩掛けベルトに装着することができ、また肩掛けベルトに装着した肩パッドを何時でも肩掛けベルトから取り外すことができるようになり、非常に便利なものとなった。
【図面の簡単な説明】
【図１】この発明の肩掛けベルト用肩パッドの一実施形態を示す平面図である。
【図２】この発明の肩掛けベルト用肩パッドの一実施形態を示す底面図である。
【図３】図１中のＡ−Ａ線による断面図である。
【図４】図１中のＢ−Ｂ線による断面図である。
【図５】図１中のＣ−Ｃ線による断面図である。
【図６】図１に示すこの発明の肩掛けベルト用肩パッドを展開した状態の平面図である。
【図７】図１に示すこの発明の肩掛けベルト用肩パッドを展開した状態の底面図である。
【図８】この発明の肩掛けベルト用肩パッドの他実施形態を示す説明図である。
【図９】この発明の肩掛けベルト用肩パッドを肩掛けベルトに装着する手順を示す説明図である。
【図１０】この発明の肩掛けベルト用肩パッドを肩掛けベルトに装着した状態を示す説明図である。
【図１１】従来の肩掛けベルト用肩パッドの一例を示す説明図である。
【図１２】従来の肩掛けベルト用肩パッドの他例を示す説明図である。
【符号の説明】
１  下パッド体
１ａ  肩ベルト保持体
２ａ  肩ベルト保持体
３  縦スリット
４  ヒンジ
５  上パッド体
１４  突起
１５  挿入孔
１６  当て溝
１７  孔
１８  挿入部
２０  補助緩衝材
Ｓ  緩衝空間
【図１】
0004310561.tif 000002
【図２】
0004310561.tif 000003
【図３】
0004310561.tif 000004
【図４】
0004310561.tif 000005
【図５】
0004310561.tif 000006
【図６】
0004310561.tif 000007
【図７】
0004310561.tif 000008
【図８】
0004310561.tif 000009
【図９】
0004310561.tif 000010
【図１０】
0004310561.tif 000011
【図１１】
0004310561.tif 000012
【図１２】
0004310561.tif 000013